(57)【要約】【課題】本体に対する携帯電子機器の取り付け姿勢を変更可能とする技術を提供する。【解決手段】取り付け構造は、携帯電子機器５に装着される取付アダプタ４と、取付アダプタ４を介して携帯電子機器５が取り付けられるスピーカ一体型２DINオーディオ機器３と、を備える。取付アダプタ４は、取付アダプタ４を携帯電子機器５に装着した状態で携帯電子機器５の液晶表示部６の表示面６ａに対して略直交する方向に延びる軸部９を有する。スピーカ一体型２DINオーディオ機器３には、取付アダプタ４の軸部９が挿入される軸受部２５が形成されている。携帯電子機器５は、取付アダプタ４の軸部９の各軸部側永久磁石１０がスピーカ一体型２DINオーディオ機器３の軸受部２５の各軸受部側永久磁石２６と磁気結合することで、スピーカ一体型２DINオーディオ機器３によって姿勢保持される。【選択図】図２
2013075545.tif 000002
【特許請求の範囲】
【請求項１】
表示部を有する携帯電子機器が装着される取付具と、
前記取付具を介して前記携帯電子機器が取り付けられる本体と、
を備えた取り付け構造であって、
前記取付具は、前記携帯電子機器が装着された状態で、前記携帯電子機器の前記表示部の表示面に対して略直交する方向に延びる軸部と、
前記軸部に固定される第１磁石と、
を有し、
前記本体は、前記軸部が挿入される軸受部と、
前記軸受部に固定される第２磁石と、
を有し、
前記第１磁石及び前記第２磁石のうち少なくとも一方は複数の磁石からなり、
前記携帯電子機器は、前記第１磁石と前記第２磁石とが選択的に磁気結合することで、前記本体に対して前記携帯電子機器の縦向き又は横向きのいずれかを上下方向として姿勢保持される、
携帯電子機器の取り付け構造。
【請求項２】
請求項１に記載の取り付け構造であって、
前記軸部は、略円柱状に形成されており、
前記軸受部は、有底略円孔状に形成されている、
携帯電子機器の取り付け構造。
【請求項３】
請求項２に記載の取り付け構造であって、
前記第１磁石は、前記軸部の先端面に配置されており、
前記第２磁石は、前記軸受部の底面に配置されている、
携帯電子機器の取り付け構造。
【請求項４】
請求項２に記載の取り付け構造であって、
前記第１磁石は、前記軸部の外周面に配置されており、
前記第２磁石は、前記軸受部の内周面に配置されている、
携帯電子機器の取り付け構造。
【請求項５】
請求項３又は４に記載の取り付け構造であって、
前記第１磁石又は前記第２磁石は、前記軸部又は前記軸受部の中心軸周りに略９０度間隔で配置されている、
携帯電子機器の取り付け構造。
【請求項６】
請求項５に記載の取り付け構造であって、
前記第１磁石又は前記第２磁石は、前記携帯電子機器の姿勢として縦向き姿勢と横向き姿勢を選択できるように配置されている、
携帯電子機器の取り付け構造。
【請求項７】
請求項２〜６の何れかに記載の取り付け構造であって、
前記軸部の外周面又は前記軸受部の内周面のいずれか一方に、前記軸部の周方向に延びる案内溝部が形成されており、
前記軸受部の内周面又は前記軸部の外周面のいずれか他方に、前記案内溝部に嵌る突起部が形成されている、
携帯電子機器の取り付け構造。
【請求項８】
請求項７に記載の取り付け構造であって、
前記軸部の外周面には、前記案内溝部に接続しつつ、前記軸部の先端側に延びる着脱溝部が形成されている、
携帯電子機器の取り付け構造。
【請求項９】
請求項７に記載の取り付け構造であって、
前記軸受部の内周面には、前記案内溝部に接続しつつ、前記軸受部の開口端側に延びる着脱溝部が形成されている、
携帯電子機器の取り付け構造。
【請求項１０】
請求項１〜９の何れかに記載の取り付け構造であって、
前記本体は、少なくとも一対のスピーカーを備える、
携帯電子機器の取り付け構造。
【発明の詳細な説明】
【技術分野】
【０００１】
本発明は、携帯電子機器の取り付け構造に関する。
【背景技術】
【０００２】
この種の技術として、特許文献１は、携帯電話機や音楽プレーヤなどの携帯機器を車室内で使用したり一時的に保持しておくのに好適な保持装置を開示している。この保持装置は、携帯電話機を挟持する保持具によって構成されている。保持具は、ベースと、ベースに摺動可能に配置されたスライダーと、を有して構成されている。保持具は、携帯電話機の保持角度を変更して携帯電話機の画面を見易くできるように、前後に傾動可能に構成されている。
【先行技術文献】
【特許文献】
【０００３】
【特許文献１】特開２０１１−１７８１８０号公報
【発明の概要】
【発明が解決しようとする課題】
【０００４】
しかしながら、上記特許文献１の構成では、携帯電話機を一方の向きにしか保持具に保持させることしかできなかった。
【０００５】
そこで、本願発明の目的は、本体に対する携帯電子機器の取り付け姿勢を変更可能とする技術を提供することにある。
【課題を解決するための手段】
【０００６】
本願発明の観点によれば、表示部を有する携帯電子機器が装着される取付具と、前記取付具を介して前記携帯電子機器が取り付けられる本体と、を備えた取り付け構造であって、前記取付具は、前記携帯電子機器が装着された状態で、前記携帯電子機器の前記表示部の表示面に対して略直交する方向に延びる軸部と、前記軸部に固定される第１磁石と、を有し、前記本体は、前記軸部が挿入される軸受部と、前記軸受部に固定される第２磁石と、を有し、前記第１磁石及び前記第２磁石のうち少なくとも一方は複数の磁石からなり、前記携帯電子機器は、前記第１磁石と前記第２磁石とが選択的に磁気結合することで、前記本体に対して前記携帯電子機器の縦向き又は横向きのいずれかを上下方向として姿勢保持される、携帯電子機器の取り付け構造が提供される。
好ましくは、前記軸部は、略円柱状に形成されており、前記軸受部は、有底略円孔状に形成されている。
好ましくは、前記第１磁石は、前記軸部の先端面に配置されており、前記第２磁石は、前記軸受部の底面に配置されている。
好ましくは、前記第１磁石は、前記軸部の外周面に配置されており、前記第２磁石は、前記軸受部の内周面に配置されている。
好ましくは、前記第１磁石又は前記第２磁石は、前記軸部又は前記軸受部の中心軸周りに略９０度間隔で配置されている。
好ましくは、前記第１磁石又は前記第２磁石は、前記携帯電子機器の姿勢として縦向き姿勢と横向き姿勢を選択できるように配置されている。
好ましくは、前記軸部の外周面又は前記軸受部の内周面のいずれか一方に、前記軸部の周方向に延びる案内溝部が形成されており、前記軸受部の内周面又は前記軸部の外周面のいずれか他方に、前記案内溝部に嵌る突起部が形成されている。
好ましくは、前記軸部の外周面には、前記案内溝部に接続しつつ、前記軸部の先端側に延びる着脱溝部が形成されている。
好ましくは、前記軸受部の内周面には、前記案内溝部に接続しつつ、前記軸受部の開口端側に延びる着脱溝部が形成されている。
好ましくは、前記本体は、少なくとも一対のスピーカーを備える。
【発明の効果】
【０００７】
本願発明によれば、本体に対する携帯電子機器の取り付け姿勢を変更することができる。
【図面の簡単な説明】
【０００８】
【図１】図１は、自動車の居住空間側から見たセンターコンソールパネルを示す図である。（第１実施形態）
【図２】図２は、スピーカ一体型２DINオーディオ機器から携帯電子機器を取り外した状態を示す斜視図である。（第１実施形態）
【図３】図３は、スピーカ一体型２DINオーディオ機器から携帯電子機器を取り外した状態を示す別の斜視図である。（第１実施形態）
【図４】図４は、スピーカ一体型２DINオーディオ機器に携帯電子機器を横向き姿勢で取り付けた状態を示す斜視図である。（第１実施形態）
【図５】図５は、スピーカ一体型２DINオーディオ機器に携帯電子機器を縦向き姿勢で取り付けた状態を示す斜視図である。（第１実施形態）
【図６】図６は、携帯電子機器の斜視図である。（第１実施形態）
【図７】図７は、取付アダプタを前方から見た斜視図である。（第１実施形態）
【図８】図８は、取付アダプタを後方から見た斜視図である。（第１実施形態）
【図９】図９は、図８の部分拡大図である。（第１実施形態）
【図１０】図１０は、図８の矢印Aの方向で見た軸部をイメージした図である。（第１実施形態）
【図１１】図１１は、スピーカ一体型２DINオーディオ機器の斜視図である。（第１実施形態）
【図１２】図１２は、スピーカ一体型２DINオーディオ機器の一部切り欠き斜視図である。（第１実施形態）
【図１３】図１３は、スピーカ一体型２DINオーディオ機器の軸受部の斜視図である。（第１実施形態）
【図１４】図１４は、スピーカ一体型２DINオーディオ機器の軸受部の正面図である。（第１実施形態）
【図１５】図１５は、スピーカ一体型２DINオーディオ機器に対して携帯電子機器を取り付ける際の正面図である。（第１実施形態）
【図１６】図１６は、スピーカ一体型２DINオーディオ機器に対して携帯電子機器を取り付ける際の要部拡大図である。（第１実施形態）
【図１７】図１７は、スピーカ一体型２DINオーディオ機器に対して携帯電子機器を縦向き姿勢で取り付けた際の正面図である。（第１実施形態）
【図１８】図１８は、スピーカ一体型２DINオーディオ機器に対して携帯電子機器を縦向き姿勢で取り付けた際の要部拡大図である。（第１実施形態）
【図１９】図１９は、スピーカ一体型２DINオーディオ機器に対して携帯電子機器を横向き姿勢で取り付けた際の正面図である。（第１実施形態）
【図２０】図２０は、スピーカ一体型２DINオーディオ機器に対して携帯電子機器を横向き姿勢で取り付けた際の要部拡大図である。（第１実施形態）
【図２１】図２１は、軸部の斜視図である。（第１実施形態の第１変形例）
【図２２】図２２は、軸受部の斜視図である。（第１実施形態の第１変形例）
【図２３】図２３は、軸部の斜視図である。（第１実施形態の第２変形例）
【図２４】図２４は、軸受部の斜視図である。（第１実施形態の第２変形例）
【図２５】図２５は、軸部の斜視図である。（第２実施形態）
【図２６】図２６は、軸受部の斜視図である。（第２実施形態）
【図２７】図２７は、軸部の斜視図である。（第３実施形態）
【図２８】図２８は、軸受部の斜視図である。（第３実施形態）
【発明を実施するための形態】
【０００９】
（第１実施形態）
以下、図面を参照しつつ、車載音響システム１を説明する。図１に示すように、本実施形態において車載音響システム１は、車両のセンターコンソールパネル２に予め用意されている２DIN搭載スペースに構築されるものである。昨今の車両においては、図１に示すように２DIN搭載スペースが略搭乗者の胸の高さとなるように設定されている。
【００１０】
（車載音響システム１）
図２及び図３に示すように、車載音響システム１は、スピーカ一体型２DINオーディオ機器３（本体）と、取付アダプタ４（取付具）と、携帯電子機器５と、によって構築されている。そして、携帯電子機器５に取付アダプタ４を装着した上で、携帯電子機器５は取付アダプタ４を介して、センターコンソールパネル２の２DIN搭載スペースに挿入されて搭載されたスピーカ一体型２DINオーディオ機器３に取り付けられる。本実施形態において携帯電子機器５は、スピーカ一体型２DINオーディオ機器３に対して、図４に示すような横向き姿勢で取り付けることもできるし、図５に示すような縦向き姿勢で取り付けることもできるようになっている。なお、携帯電子機器５の取り付け構造は、少なくともスピーカ一体型２DINオーディオ機器３と取付アダプタ４を含んで構成されている。携帯電子機器の一例として、アイポッド（登録商標）などがある。
【００１１】
（携帯電子機器５）
図６に示すように、携帯電子機器５は、略長方形の薄肉形状であって、前面５ａ、外周面５ｂ、背面５ｃを有している。携帯電子機器５の前面５ａには、液晶表示部６（表示部）と操作部７が配置されている。液晶表示部６は、タッチパネル機能付きの液晶パネルであって、アスペクト比が約１．３：１である長方形の表示面６ａを有している。詳しく言うと、図６に示すように、携帯電子機器５は縦方向（第１方向）と横方向（第１方向に対して直交する第２方向）を有しており、液晶表示部６の表示面６ａは、縦方向における寸法と横方向における寸法が異なっている。即ち、液晶表示部６の表示面６ａの縦方向における寸法は、同じく横方向における寸法の約１．３倍である。
【００１２】
（取付アダプタ４）
図７及び図８に示すように、取付アダプタ４は、外枠ケース８と軸部９によって構成されている。
【００１３】
外枠ケース８は、プラスチック製又はシリコーンゴム製のケースであって、携帯電子機器５の背面５ｃと対向する背面部８ａと、携帯電子機器５の外周面５ｂと対向する外周部８ｂと、によって構成されている。取付アダプタ４を携帯電子機器５に装着するには、外周部８ｂ内に携帯電子機器５を強く押し込めばよい。図８に示すように背面部８ａは、背面８ｃを有している。同様に、軸部９は、中心軸９Cを有している。
【００１４】
図８に示すように、軸部９は、外枠ケース８の背面８ｃの略中央に配置されており、外枠ケース８の背面８ｃに対して略直交する方向に略円柱状に突出して形成されている。換言すれば、軸部９は、取付アダプタ４を携帯電子機器５に装着した状態で携帯電子機器５の液晶表示部６の表示面６ａに対して略直交する方向に延びて形成されている。
【００１５】
図９に示すように、略円柱状の軸部９は、先端面９ａと外周面９ｂを有している。軸部９の先端面９ａには、４つの軸部側永久磁石１０（第１磁石）が設けられている。図１０に示すように、４つの軸部側永久磁石１０は、中心軸９Cから略等しい距離であって、外周面９ｂの近傍に配置されている。４つの軸部側永久磁石１０は、軸部９の中心軸９C周りに略９０度間隔で配置されている。ここで、軸部９の中心軸９Cを通り、取付アダプタ４の縦方向（即ち、携帯電子機器５の縦方向）と一致する基準線９Dを定義し、基準線９Dを基準として時計回りに角度θ[deg.]を定義すると、４つの軸部側永久磁石１０は、θ[deg.]＝０、９０、１８０、２７０で表現される角度位置に配置されている。
【００１６】
また、図９に示すように、軸部９の外周面９ｂには、軸部９の周方向に延びる案内溝部１１が形成されている。図１０に示すように、案内溝部１１は、θ[deg.]＝−９０〜+４５で表現される角度範囲に円弧状に形成されている。
【００１７】
また、図９に示すように、軸部９の外周面９ｂには、案内溝部１１に接続しつつ、軸部９の先端側に延びる着脱溝部１２が形成されている。図１０に示すように、着脱溝部１２は、θ[deg.]＝+４５で表現される角度位置において、案内溝部１１と接続している。
【００１８】
（スピーカ一体型２DINオーディオ機器３）
図１１に示すように、スピーカ一体型２DINオーディオ機器３は、機器本体１３と化粧板１４によって構成されている。
【００１９】
（機器本体１３）
図１２に示すように、機器本体１３は、筐体１５と、ステレオスピーカ（一対のスピーカ）を構築する運転席側スピーカ１６（スピーカ）及び助手席側スピーカ１７（スピーカ）と、ウーハースピーカ１８と、アンプ内蔵型制御基板１９と、SSD２０（Solid State Drive）と、によって構成されている。
【００２０】
筐体１５は、一例として規格寸法の２DINを満たす形状である。筐体１５は、居住空間側となる前面２１を有している。運転席側スピーカ１６と助手席側スピーカ１７は、筐体１５の前面２１に搭載されている。
【００２１】
運転席側スピーカ１６と助手席側スピーカ１７は、筐体１５の前面２１の左右に離して配置されている。本実施形態において運転席側スピーカ１６は、高さ寸法が幅寸法よりも大きい長円形の振動板１６ａを有して構成されている。同様に、助手席側スピーカ１７も、高さ寸法が幅寸法よりも大きい長円形の振動板１７ａを有して構成されている。運転席側スピーカ１６及び助手席側スピーカ１７は、アンプ内蔵型制御基板１９に接続されており、アンプ内蔵型制御基板１９から出力された音声信号に基づいて、所望の音波を放射する。
【００２２】
ウーハースピーカ１８は、運転席側スピーカ１６や助手席側スピーカ１７よりも低音域を受け持つスピーカである。ウーハースピーカ１８は、筐体１５の内部において、振動板からの音波の放射方向が下向きとなるように収容されている。筐体１５には、ウーハースピーカ１８の振動板から放射された音波を、スピーカ一体型２DINオーディオ機器３の前面２１から居住空間側へと放出するためのダクト２２が形成されている。スピーカ一体型２DINオーディオ機器３の前面２１におけるダクト２２の開口は、左右に分割されている。即ち、ダクト２２は、前面２１において運転席側となる運転席側前面開口２３と、前面２１において助手席側となる助手席側前面開口２４と、を有している。運転席側前面開口２３は、運転席側スピーカ１６の下側に配置されている。助手席側前面開口２４は、助手席側スピーカ１７の下側に配置されている。ウーハースピーカ１８は、アンプ内蔵型制御基板１９に接続されており、アンプ内蔵型制御基板１９から出力された音声信号に基づいて、所望の音波を放射する。ウーハースピーカ１８から放射された音波は、ダクト２２、運転席側前面開口２３、助手席側前面開口２４を通じて居住空間に供給される。
【００２３】
SSD２０は、複数の楽曲を、例えばMP3（MPEG Audio Layer-3）形式やWMA（Windows Media Audio、登録商標）形式の楽曲データとして記憶するものである。SSD２０は、アンプ内蔵型制御基板１９に接続されており、アンプ内蔵型制御基板１９から出力された要求信号に基づいて、所望の楽曲データをアンプ内蔵型制御基板１９に供給する。なお、SSD２０ではなく他の記憶媒体であってもよい。また、着脱可能な記憶媒体であってもよい。アンプ内蔵型制御基板１９には、SSD２０に加えて、有線又は無線により携帯電子機器５からも楽曲データが提供される。
【００２４】
アンプ内蔵型制御基板１９は、SSD２０や携帯電子機器５から供給された楽曲データをデコードして音声信号を生成し、生成した音声信号を運転席側スピーカ１６や助手席側スピーカ１７、ウーハースピーカ１８に出力する。
【００２５】
（化粧板１４）
化粧板１４は、機器本体１３の前面２１に取り付けられるものである。図１１に示すように、化粧板１４には、軸受部２５が形成されている。軸受部２５は、図８に示す取付アダプタ４の軸部９が挿入されるものである。軸受部２５は、図１２に示す運転席側スピーカ１６と助手席側スピーカ１７によって挟まれる位置に配置されている。つまり、軸受部２５は、運転席側スピーカ１６と助手席側スピーカ１７の間に位置する。
【００２６】
図１３及び図１４に示すように、軸受部２５は、有底略円孔状に形成されており、内周面２５ａと底面２５ｂを有している。
【００２７】
軸受部２５の底面２５ｂには、４つの軸受部側永久磁石２６が配置されている。図１４に示すように、４つの軸受部側永久磁石２６は、軸受部２５の中心軸２５Cから略等しい距離であって、内周面２５ａの近傍に配置されている。４つの軸受部側永久磁石２６は、軸受部２５の中心軸２５C周りに略９０度間隔で配置されている。図１４に示すように、軸受部２５の中心軸２５Cを通り、鉛直方向と一致する基準線２５Dを定義し、基準線２５Dを基準として時計回りに角度θ[deg.]を定義すると、４つの軸受部側永久磁石２６は、θ[deg.]＝０、９０、１８０、２７０で表現される角度位置に配置されている。
【００２８】
また、図１４に示すように、軸受部２５の内周面２５ａには、軸部９の案内溝部１１に嵌る突起部２７が形成されている。突起部２７は、θ[deg.]＝０で表現される角度位置に形成されている。
【００２９】
（作動）
次に、図１５〜図２０を参照しつつ、車載音響システム１の作動を説明する。
【００３０】
携帯電子機器５をスピーカ一体型２DINオーディオ機器３に取り付けるには、先ず、図２及び図３に示す取付アダプタ４を携帯電子機器５に装着する。次に、図８に示す取付アダプタ４の軸部９を図１１に示すスピーカ一体型２DINオーディオ機器３の軸受部２５に挿入する。このとき、図１５に示すように、スピーカ一体型２DINオーディオ機器３に対して携帯電子機器５を斜めの姿勢とする。具体的には、図１６に示すように、軸部９の基準線９Dが、軸受部２５の基準線２５Dから見て、θ[deg.]＝−４５で表現される角度位置となるように、スピーカ一体型２DINオーディオ機器３に対して携帯電子機器５を斜めの姿勢とする。すると、軸受部２５の突起部２７が、軸部９の着脱溝部１２内に挿入されて、軸部９の案内溝部１１に到達する。また、このとき、図１６に示すように、４つの軸部側永久磁石１０と、４つの軸受部側永久磁石２６は、全く対向していない。
【００３１】
次に、図１５の状態で、スピーカ一体型２DINオーディオ機器３に対して携帯電子機器５を時計回りに４５度回転させ、図１７の状態とする。具体的には、図１８に示すように、軸部９の基準線９Dが、軸受部２５の基準線２５Dから見て、θ[deg.]＝０で表現される角度位置となるように、スピーカ一体型２DINオーディオ機器３に対して携帯電子機器５を時計回りに４５度回転させる。即ち、図１８において、軸部９の基準線９Dと、軸受部２５の基準線２５Dは、完全に一致している。このとき、図１８に示すように、軸受部２５の突起部２７は、軸部９の着脱溝部１２から離れる方向に案内溝部１１内で相対的に移動することになる。図１８の状態で、４つの軸部側永久磁石１０と、４つの軸受部側永久磁石２６は、各々が対向している。従って、各軸部側永久磁石１０と各軸受部側永久磁石２６とが磁気結合し、もって、携帯電子機器５がスピーカ一体型２DINオーディオ機器３によって図１７に示すような縦向き姿勢で姿勢保持されることになる。
【００３２】
次に、図１７の状態で、スピーカ一体型２DINオーディオ機器３に対して携帯電子機器５を時計回りに更に９０度回転させ、図１９の状態とする。具体的には、図２０に示すように、軸部９の基準線９Dが、軸受部２５の基準線２５Dから見て、θ[deg.]＝９０で表現される角度位置となるように、スピーカ一体型２DINオーディオ機器３に対して携帯電子機器５を時計回りに更に９０度回転させる。このとき、図２０に示すように、軸受部２５の突起部２７は、軸部９の着脱溝部１２から離れる方向に案内溝部１１内で相対的に移動し、案内溝部１１の末端に到達することになる。図２０の状態で、４つの軸部側永久磁石１０と、４つの軸受部側永久磁石２６は、各々が対向している。従って、各軸部側永久磁石１０と各軸受部側永久磁石２６とが磁気結合し、もって、携帯電子機器５がスピーカ一体型２DINオーディオ機器３によって図１９に示すような横向き姿勢で姿勢保持されることになる。
【００３３】
そして、図１７に示すように携帯電子機器５を縦向き姿勢で姿勢保持すると、携帯電子機器５の液晶表示部６は縦向きとなる。この縦向き姿勢は、携帯電子機器５の液晶表示部６にとって、複数の楽曲名をリスト形式で表示するのに適している。また、図１９に示すように携帯電子機器５を横向き姿勢で姿勢保持すると、携帯電子機器５の液晶表示部６は横向きとなる。この横向き姿勢は、携帯電子機器５の液晶表示部６にとって、選択された楽曲にマッチした映像を表示するのに適している。また、楽曲再生時には、携帯電子機器５の液晶表示部６に表示された映像が、スピーカ一体型２DINオーディオ機器３の運転席側スピーカ１６等と極めて近い位置で提供されるので、音と映像との強い一体感が実現される。
【００３４】
携帯電子機器５の姿勢を図１９に示す横向き姿勢から図１７に示す縦向き姿勢にするには、単に、スピーカ一体型２DINオーディオ機器３に対して携帯電子機器５を反時計回りに９０度回転させればよい。また、図１７の状態から携帯電子機器５をスピーカ一体型２DINオーディオ機器３から取り外すには、スピーカ一体型２DINオーディオ機器３に対して携帯電子機器５を反時計回りに４５度回転させた上で手前に引き寄せればよい。このとき、軸受部２５の突起部２７は、案内溝部１１から着脱溝部１２を介して外部へと抜け出る。また、このとき、各軸部側永久磁石１０と各軸受部側永久磁石２６との磁気結合は解除されており（図１６を併せて参照）、もって、小さな力で携帯電子機器５をスピーカ一体型２DINオーディオ機器３から取り外すことができる。
【００３５】
以上に本願発明の第１実施形態を説明したが、上記第１実施形態の特長は以下の通りである。
【００３６】
取り付け構造は、縦方向（第１方向）と、横方向（第２方向）と、を有し、縦方向における寸法と横方向における寸法が異なる液晶表示部６を有する携帯電子機器５（携帯電子機器）に装着される取付アダプタ４（取付具）と、取付アダプタ４を介して携帯電子機器５が取り付けられるスピーカ一体型２DINオーディオ機器３（本体）と、を備える。取付アダプタ４は、取付アダプタ４を携帯電子機器５に装着した状態で携帯電子機器５の液晶表示部６の表示面６ａに対して略直交する方向に延びる軸部９を有する。スピーカ一体型２DINオーディオ機器３には、取付アダプタ４の軸部９が挿入される軸受部２５が形成されている。取付アダプタ４の軸部９には、４つの軸部側永久磁石１０（第１磁石）が設けられている。スピーカ一体型２DINオーディオ機器３の軸受部２５には、４つの軸受部側永久磁石２６（第２磁石）が設けられている。携帯電子機器５は、取付アダプタ４の軸部９の４つの軸部側永久磁石１０の何れかがスピーカ一体型２DINオーディオ機器３の軸受部２５の４つの軸受部側永久磁石２６の何れかと選択的に磁気結合することで、スピーカ一体型２DINオーディオ機器３によって姿勢保持される。以上の構成によれば、スピーカ一体型２DINオーディオ機器３に対する携帯電子機器５の取り付け姿勢を変更することができる。
【００３７】
なお、上記第１実施形態では、取付アダプタ４の軸部９に４つの軸部側永久磁石１０を配置し、スピーカ一体型２DINオーディオ機器３の軸受部２５に４つの軸受部側永久磁石２６を配置することにした。しかし、これに代えて、取付アダプタ４の軸部９に１つの軸部側永久磁石１０を配置し、スピーカ一体型２DINオーディオ機器３の軸受部２５に４つの軸受部側永久磁石２６を配置することとしてもよい。また、取付アダプタ４の軸部９に４つの軸部側永久磁石１０を配置し、スピーカ一体型２DINオーディオ機器３の軸受部２５に１つの軸受部側永久磁石２６を配置することとしてもよい。要するに、軸部側永久磁石１０と軸受部側永久磁石２６との間で、一対多、多対一、多対多の関係が成立していればよい。何れの場合でも、スピーカ一体型２DINオーディオ機器３に対する携帯電子機器５の取り付け姿勢を変更することができる。
【００３８】
また、軸部９は、略円柱状に形成されている。軸受部２５は、有底略円孔状に形成されている。以上の構成によれば、スピーカ一体型２DINオーディオ機器３による携帯電子機器５の姿勢を変更する際に、スピーカ一体型２DINオーディオ機器３に対して携帯電子機器５をスムーズに回転させることができる。
【００３９】
また、１つの実施態様として、軸部側永久磁石１０は、軸部９の先端面９ａに配置されている。軸受部側永久磁石２６は、軸受部２５の底面２５ｂに配置されている。
【００４０】
また、軸部側永久磁石１０と軸受部側永久磁石２６は、軸部９（又は軸受部２５）の中心軸周りに略９０度間隔で配置されている。以上の構成によれば、スピーカ一体型２DINオーディオ機器３に対する携帯電子機器５の姿勢を９０度単位で変更可能となる。
【００４１】
また、軸部側永久磁石１０と軸受部側永久磁石２６は、携帯電子機器５の姿勢として縦向き姿勢と横向き姿勢を選択できるように配置されている。以上の構成によれば、携帯電子機器５の液晶表示部６の姿勢として縦向き姿勢と横向き姿勢を選択的に実現することが可能となる。従って、例えば、楽曲名を表示させるのに好適な状態と、映像を表示させるのに好適な状態と、を選択可能に実現することができる。
【００４２】
また、軸部９の外周面９ｂには、軸部９の周方向に延びる案内溝部１１が形成されている。軸受部２５の内周面２５ａには、軸部９の案内溝部１１に嵌る突起部２７が形成されている。以上の構成によれば、スピーカ一体型２DINオーディオ機器３からの携帯電子機器５の意図しない離脱を防止することができる。
【００４３】
また、軸部９の外周面９ｂには、案内溝部１１に接続しつつ、軸部９の先端側に延びる着脱溝部１２が形成されている。以上の構成によれば、スピーカ一体型２DINオーディオ機器３からの携帯電子機器５の意図しない離脱を防止しつつ、スピーカ一体型２DINオーディオ機器３からの携帯電子機器５の意図する離脱を可能とすることができる。
【００４４】
また、１つの実施態様として、着脱溝部１２は、軸部９の長手方向（中心軸９Cの方向）で見たときに、携帯電子機器５を斜め姿勢としたときに突起部２７と重複する関係となるように形成されている。
【００４５】
なお、上記第１実施形態においては、軸部９に案内溝部１１を形成し、軸受部２５に突起部２７を形成することにした。しかし、これに代えて、軸部９の外周面９ｂに突起部２７を形成し、軸受部２５の内周面２５ａに案内溝部１１を形成してもよい。この場合、着脱溝部１２は、案内溝部１１に接続しつつ、軸受部２５の開口端側に延びることになる。
【００４６】
以上に、本願発明の第１実施形態を説明したが、上記第１実施形態は、以下のように変更することができる。
【００４７】
（第１変形例）
上記第１実施形態では、軸部９の先端面９ａに軸部側永久磁石１０を配置し、軸受部２５の底面２５ｂに軸受部側永久磁石２６を配置することとした。しかし、これに代えて、図２１に示すように軸部９の外周面９ｂに軸部側永久磁石１０を配置し、図２２に示すように軸受部２５の内周面２５ａに軸受部側永久磁石２６を配置することとしてもよい。
【００４８】
（第２変形例）
また、上記第１実施形態では、軸部側永久磁石１０と軸受部側永久磁石２６を９０度間隔で配置することにしたが、これに代えて、図２３に示すように軸部側永久磁石１０を４５度間隔で配置し、図２４に示すように軸受部側永久磁石２６を４５度間隔で配置してもよい。
【００４９】
（第２実施形態）
次に、図２５及び図２６を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５０】
上記第１実施形態において軸部９の外周面９ｂには案内溝部１１を形成し、軸受部２５の内周面２５ａには案内溝部１１に嵌る突起部２７を形成することとしたが、これら案内溝部１１及び突起部２７は省略することもできる。この場合でも、各軸部側永久磁石１０と各軸受部側永久磁石２６との磁気結合により、スピーカ一体型２DINオーディオ機器３からの携帯電子機器５の意図しない離脱は防止される。
【００５１】
（第３実施形態）
次に、図２７及び図２８を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５２】
上記第１実施形態において軸部９の外周面９ｂには案内溝部１１を形成し、軸受部２５の内周面２５ａには案内溝部１１に嵌る突起部２７を形成することとしたが、これに代えて、図２７に示すように軸部９の外周面９ｂにオネジ３０を形成し、図２８に示すように軸受部２５の内周面２５ａに、オネジ３０に対応するメネジ３１を形成してもよい。この場合も、スピーカ一体型２DINオーディオ機器３からの携帯電子機器５の意図しない離脱が効果的に防止される。
【符号の説明】
【００５３】
１  車載音響システム
２  センターコンソールパネル
３  スピーカ一体型２DINオーディオ機器
４  取付アダプタ
５  携帯電子機器
１０  軸部側永久磁石
１１  案内溝部
２６  軸受部側永久磁石
２７  突起部
【図１】
2013075545.tif 000003
【図２】
2013075545.tif 000004
【図３】
2013075545.tif 000005
【図４】
2013075545.tif 000006
【図５】
2013075545.tif 000007
【図６】
2013075545.tif 000008
【図７】
2013075545.tif 000009
【図８】
2013075545.tif 000010
【図９】
2013075545.tif 000011
【図１０】
2013075545.tif 000012
【図１１】
2013075545.tif 000013
【図１２】
2013075545.tif 000014
【図１３】
2013075545.tif 000015
【図１４】
2013075545.tif 000016
【図１５】
2013075545.tif 000017
【図１６】
2013075545.tif 000018
【図１７】
2013075545.tif 000019
【図１８】
2013075545.tif 000020
【図１９】
2013075545.tif 000021
【図２０】
2013075545.tif 000022
【図２１】
2013075545.tif 000023
【図２２】
2013075545.tif 000024
【図２３】
2013075545.tif 000025
【図２４】
2013075545.tif 000026
【図２５】
2013075545.tif 000027
【図２６】
2013075545.tif 000028
【図２７】
2013075545.tif 000029
【図２８】
2013075545.tif 000030